(57)【要約】【課題】      キートップがベースシートに対してしっかりと固定したキーシートを得ること。また、実用性があり、デザイン性に優れた新規な形態のキーシートを得ること。【解決手段】  樹脂フィルムでなるベースシート３２と、ベースシート３２に配置するキートップ３３とを接着層により固着するキーシート３１について、キートップ３３かベースシート３２の少なくとも何れか一方の対向面に印刷によりキートップ３３の印刷接着層３９を形成し、軟化又は溶融状態で前記何れか他方と接触させるとともに硬化させ、キートップ３３とベースシート３２が該印刷接着層３９で固着したキーシート３１とした。【選択図】    図２
2007066818.tif 000002
【特許請求の範囲】
【請求項１】
樹脂フィルムでなるベースシートと、
ベースシートに配置するキートップと、
キートップ又はベースシートの何れかに印刷層として形成され、キートップとベースシートに対し軟化又は溶融状態で接した硬化体でなるキートップの印刷接着層と、を備えるキーシート。
【請求項２】
キートップと並べてベースシートに配置するフレームシートを備える請求項１記載のキーシート。
【請求項３】
フレームシートとベースシートとを固着する接着層を備えており、
キートップの印刷接着層はキートップの底面全面に形成したものであり、
フレームシートの接着層はキートップと隣接する外縁側を除くフレームシートの底面に形成したものである請求項２記載のキーシート。
【請求項４】
フレームシートの接着層が、フレームシート又はベースシートの何れかに印刷層として形成され、フレームシートとベースシートに対し軟化又は溶融状態で接した硬化体でなる印刷接着層である請求項２または請求項３記載のキーシート。
【請求項５】
キートップと並べてベースシートに配置する隣接キートップと、
隣接キートップとベースシートとを固着する接着層とを備えており、
キートップの印刷接着層はキートップの底面全面に形成したものであり、
隣接キートップの接着層はキートップと隣接する外縁側を除く隣接キートップの底面に形成したものである請求項１記載のキーシート。
【請求項６】
隣接キートップの接着層が、隣接キートップ又はベースシートの何れかに印刷層として形成され、隣接キートップとベースシートに対し軟化又は溶融状態で接した硬化体でなる印刷接着層である請求項５記載のキーシート。
【請求項７】
樹脂フィルムでなるベースシートと、
ベースシートに配置するキートップと、
ベースシートとキートップとの間でキートップの側面と実質的に面一の側面を形成してベースシートとキートップとを固着するキートップの印刷接着層と、を備えるキーシート。
【請求項８】
キートップと並べてベースシートに配置するフレームシートを備える請求項７記載のキーシート。
【請求項９】
フレームシートとベースシートとを固着する接着層を備えており、
キートップの印刷接着層がキートップの底面全面に形成したものであり、
フレームシートの接着層がキートップと隣接する外縁側を除くフレームシートの底面に形成したものである請求項８記載のキーシート。
【請求項１０】
フレームシートの接着層が印刷接着層である請求項８または請求項９記載のキーシート。
【請求項１１】
キートップと並べてベースシートに配置する隣接キートップと、
隣接キートップとベースシートとを固着する接着層とを備えており、
キートップの印刷接着層はキートップの底面全面に形成したものであり、
隣接キートップの接着層はキートップと隣接する外縁側を除く隣接キートップの底面に形成したものである請求項７記載のキーシート。
【請求項１２】
隣接キートップの接着層が印刷接着層である請求項１１記載のキーシート。
【請求項１３】
キートップとフレームシート又は隣接キートップとが実質的に連続する面一の操作面を形成する請求項２〜請求項６、請求項８〜請求項１２何れか１項記載のキーシート。
【請求項１４】
ベースシートとベースシートに配置するキートップとを接着層により固着するキーシートの製造方法であって、
キートップかベースシートの少なくとも何れか一方の対向面に印刷によりキートップの印刷接着層を形成し、軟化又は溶融状態で前記何れか他方と接触させるとともに硬化させ、キートップとベースシートを固着するキーシートの製造方法。
【請求項１５】
ベースシートと、ベースシートに配置するキートップと、キートップと並べてベースシートに配置するフレームシートとを備えるキーシートの製造方法であって、
キートップかベースシートの少なくとも何れか一方の対向面全面に印刷によりキートップの印刷接着層を形成し、軟化又は溶融状態で前記何れか他方と接触させて硬化させ、キートップをベースシートに固着するとともに、
キートップと隣接する外縁側を除くフレームシートの底面をベースシートに固着するキーシートの製造方法。
【請求項１６】
ベースシートと、ベースシートに配置するキートップと、キートップと並べてベースシートに配置する隣接キートップとを備えるキーシートの製造方法であって、
キートップかベースシートの少なくとも何れか一方の対向面全面に印刷によりキートップの印刷接着層を形成し、軟化又は溶融状態で前記何れか他方と接触させて硬化させ、キートップをベースシートに固着するとともに、
キートップと隣接する外縁側を除き隣接キートップの底面をベースシートに固着するキーシートの製造方法。
【請求項１７】
キートップの印刷接着層の全面又は一部を加熱する請求項１４〜請求項１６何れか１項記載のキーシートの製造方法。
【請求項１８】
印刷接着層を形成する印刷工程で溶剤希釈型インキを用いる請求項１４〜請求項１７何れか１項記載のキーシートの製造方法。
【発明の詳細な説明】
【技術分野】
【０００１】
本発明は、携帯電話機、ＰＤＡ、カーナビゲーション装置、カーオーディオ装置など各種機器の操作部に用いるキーシートとその製造方法に関する。
【背景技術】
【０００２】
図１５で示す携帯電話機１には、入力操作を可能とする図１６で示すキーシート１１が用いられている。このキーシート１１は、シリコーンゴムでなるベースシート１２に、複数すなわち計２１個の硬質樹脂でなるキートップ１３をＵＶ接着剤などを滴下して固着したものである。キートップ１３を押圧すると、ベースシート１２が撓み、キーシート１１の底面に位置するプリント基板（図示せず）上の接点電極を押圧してスイッチ入力がなされ、押圧を解けばベースシート１２の復元力でキートップ１３が元の位置に戻ってスイッチ入力が解かれるものである。
【０００３】
一方、最近では、図１７で示すように、キートップ２３の間に仕切桟１ｂ（図１５）がない操作開口２ａを開け、そこからキートップ２３相互間の間隔を狭く配置した図１８で示すキーシート２１を露出させる携帯電話機２も用いられている。このキーシート２１では、携帯電話機２に仕切桟１ｂ（図１５）が無いため、キーシート２１の周囲のみでその全体を支える必要がある。そのため、ベースシート２２がゴム状弾性体２２ａのみからなるのではなく、図１９で示すように、硬質樹脂や繊維補強材などの補強材２２ｂをゴム状弾性体２２ａの間に設けた構造としている。このようなキーシートについては、例えば特開２００５−６３７９５号公報（特許文献１）に記載されている。
【特許文献１】特開２００５−６３７９５号公報
【発明の開示】
【発明が解決しようとする課題】
【０００４】
しかしながら、携帯機器に対するデザインの変化は著しく、さらに斬新なデザインを有するキーシートを検討した結果、上述のキーシート１１，２１に対する改良型として、本発明者らは、各キートップを仕切る仕切桟に相当するフレームを有するようにし、携帯電話機の仕切桟の無い操作開口から、複数のキートップとともにフレームをも露出させるキーシートを案出した。ところが、従来のキーシート１１，１２の構造を変形したり、その製造方法によっては、この改良型のキーシートを製造できないことがわかった。
【０００５】
従来のキーシート１１，２１を製造するには、樹脂製のキートップ１３，２３の底面にＵＶ硬化型接着剤などの液状接着剤を塗布し、ベースシート１２，２２にキートップ１３，２３を貼り付けていた。この方法では、キートップ１３，２３からの接着剤のはみ出しを防止するため、キートップ１３，２３の底面の中央部分にのみ接着剤を塗布している。そのため、キートップ１３，２３の底面全面に接着剤が行き渡らず、キートップ１３，２３とベースシート１２，２２との間には隙間が生じていた。そして、この隙間の存在がキートップの脱落という問題を発生させるのである。
【０００６】
すなわちこの隙間に関し、従来のキーシート１１では、キートップ１３の周囲にフランジが形成されており、装着される携帯電話機１に仕切桟１ｂがあるため、キートップ１３の脱落は特に問題にならない。しかしながら、キートップ２３，２３相互間が狭間に配置されたキーシート２１では、機器の筐体に仕切桟が無く、フランジも形成されないため、キートップとこれを固着するベースシートとの間に押圧操作する爪が入る可能性があり、キートップ２３がキーシート２１から脱落するというおそれが生じる。
【０００７】
そして、キートップ相互間の間隔が広くフレームが露出する改良型のキーシートでは、キートップ２３が狭間配置したキーシート２１に比べて、キートップとベースシートとの間に爪が入る可能性がさらに高まるため、キートップの脱落がより大きな問題になるのである。
【０００８】
以上のような従来技術、キーシートの開発動向を背景になされたのが本発明である。すなわち、本発明の目的は、キートップなどの固定部材がベースシートに対してしっかりと固定したキーシートを得ることにある。また、本発明の別の目的は、実用性があり、デザイン性に優れた新規な形態のキーシートを得ることにある。
【０００９】
本発明のさらなる目的は、ベースシートに固着するキートップなどの所定部位を精度良く確実に接着することができるキーシートの製造方法を得ることにある。
【課題を解決するための手段】
【００１０】
上記目的を達成すべく本発明は、樹脂フィルムでなるベースシートと、ベースシートに配置するキートップと、キートップ又はベースシートの何れかに印刷層として形成され、キートップとベースシートに対し軟化又は溶融状態で接した硬化体でなるキートップの印刷接着層と、を備えるキーシートを提供する。
【００１１】
樹脂フィルムでなるベースシートと、ベースシートに配置するキートップと、キートップ又はベースシートの何れかに印刷層として形成され、キートップとベースシートに対し軟化又は溶融状態で接した硬化体でなるキートップの印刷接着層と、を備えることとしたため、キートップとベースシートの固着位置、塗布厚を精度良く制御した印刷接着層を有することができる。すなわち、従来、例えばキートップの底面に接着剤を滴下して接着していた場合と比較して、接着層の位置、面積にばらつきがなく、しっかりと固着したキーシートとすることができる。
【００１２】
従来の接着層は、例えばキートップ底面への滴下後、ベースシートへの押圧によって側方へ流れて広がった状態で、つまり付着面積が拡大した状態で硬化する。例えばキートップの底面全体に塗布する場合、ベースシートへの押圧により側方へ大きく流れて広がり、キートップの底面からはみ出して硬化する。また例えば、底面の一部に塗布する場合、ベースシートへの押圧により側方へ大きく流れて広がり、付着面積が拡大して硬化する。
【００１３】
しかし、本発明の印刷接着層は「軟化又は溶融状態で」キートップやベースシートと接触する。具体的には、印刷後それが硬化する前の軟化又は溶融状態で接触する。または印刷し一旦硬化した後に加熱した軟化又は溶融状態で接触する。したがって本発明の印刷接着層は、従来技術のように側方へ大きく流れて広がってしまうのを抑えることができる。
【００１４】
例えばキートップ底面の全面に印刷した場合、印刷接着層はキートップの底面からはみ出さず、実質的に底面の面積と等面積で硬化する。また例えば、底面の一部に印刷した場合、印刷接着層はその印刷面積からはみ出さずに実質的に等面積で硬化する。このため、本発明の印刷接着層は、キートップを押圧変位可能に浮動支持するベースシートの可撓部分を拘束しない。したがって、本発明の印刷接着層であればキートップの底面全面や特定面積を接着することと、キートップの押圧操作性とを両立することができる。
【００１５】
さらに、ベースシートが樹脂フィルムであるため、ゴム状弾性体からなるベースシートと比較して、薄く、かつ、撓みにくいキーシートとすることができる。そのため、機器に設けた一つの大きな操作開口から複数のキートップと、キートップ間のフレーム部分を露出させる斬新なキーシートであり、ベースシートの歪みの発生が生じにくい実用的なキーシートである。
【００１６】
上記キーシートについては、キートップと並べてベースシートに配置するフレームシートを備えるものとして構成することができる。キートップと並べてベースシートに配置するフレームシートを備えるものとすれば、キートップとベースシートとの間に爪先が入り難くすることができ、さらにキートップが外れにくいキーシートとすることができる。また、キートップの極端な浮き上がりを防止してキートップの脱落が生じにくい構造とすることができる。さらに、ベースシートの強度を補強し、キーシート全体の成形性を保つことができ、デザイン的にも斬新なキーシートとすることができる。
【００１７】
なお、フレームシートは、キートップの側面に形成される隙間を埋める部材であり、キートップ相互間ではその仕切桟となり、機器の筐体などの操作開口とキートップとの間ではフレームとなる。そのため、例えば、キートップ相互間で仕切桟としてのみ用いられたり、キートップと操作開口との間のフレームとしてのみ用いられたりするものもフレームシートに含まれるし、キートップ以外の部分でベースシート全体を覆うものも含まれる。
【００１８】
また本発明は、フレームシートとベースシートとを固着する接着層を備えており、キートップの印刷接着層がキートップの底面全面に形成したものであり、フレームシートの接着層がキートップと隣接する外縁側を除くフレームシートの底面に形成したものであるキーシートとすることができる。キートップの印刷接着層をキートップの底面全面に形成したため、キートップとベースシートとの間に隙間が生じることがなく、キートップの脱落が起こりにくいキーシートを得ることができる。また、キートップの底面全面に接着層が設けられることから、接着層を有する箇所と有しない箇所のばらつきがなく、キートップへの押圧操作を、正確なスイッチ入力につなげることができ、操作性の良いキーシートである。さらに、いわゆる照光式のキートップとした場合に、キートップの底面全面に接着層が設けられることから照光ムラが無く、均一な照光が可能なキーシートとすることができる。
【００１９】
そして、キートップと隣接する外縁側を除くフレームシートの底面に接着層を備えたため、フレームシートのキートップと隣接する外縁側には接着層のない間隙部が生じており、この部分が非拘束領域となっている。そして、この非拘束領域を設けたことで、キートップの確実な押込み操作を行うことができる。即ち、キートップの周囲に非拘束領域があるため、キートップを支持するベースシートにおいて、間隙部の部分だけ接着層により拘束されない領域が広がりベースシートが撓み易くなる。そのため、キートップの押込みストロークを長く取ることができ、正確なキー入力操作を行うことができるキーシートとなる。なお、フレームシートには間隙部が生じていても、フレームシートの広い部分でベースシートと固着することが可能で、フレームシートの脱落は殆ど問題とならない。
【００２０】
フレームシートの接着層については、フレームシート又はベースシートの何れかに印刷層として形成され、フレームシートとベースシートに対し軟化又は溶融状態で接した硬化体でなる印刷接着層とすることができる。フレームシートの接着層が、フレームシート又はベースシートの何れかに印刷層として形成され、フレームシートとベースシートに対し軟化又は溶融状態で接した硬化体でなる印刷接着層としたため、フレームシートの底面の所定部位に正確に印刷接着層を形成することができる。そのため、フレームシートとベースシートの固着する部分、固着しない部分を高精度で制御することができる。
【００２１】
本発明はまた、キートップと並べてベースシートに配置する隣接キートップと、隣接キートップとベースシートとを固着する接着層とを備えており、キートップの印刷接着層がキートップの底面全面に形成したものであり、隣接キートップの接着層がキートップと隣接する外縁側を除く隣接キートップの底面に形成したものであるキーシートとすることができる。
【００２２】
キートップと並べてベースシートに配置する隣接キートップを備えており、キートップの印刷接着層をキートップの底面全面に形成したため、キートップとベースシートとの間に隙間が生じることがなく、キートップの脱落が起こりにくいキーシートを得ることができる。また、キートップの底面全面に接着層が設けられることから、接着層を有する箇所と有しない箇所のばらつきがなく、キートップへの押圧操作を、正確なスイッチ入力につなげることができ、操作性の良いキーシートである。さらに、いわゆる照光式のキートップとした場合に、キートップの底面全面に接着層が設けられることから照光ムラが無く、均一な照光が可能なキーシートとすることができる。
【００２３】
そして、キートップと隣接する外縁側を除く隣接キートップの底面に接着層を備えることとしたため、隣接キートップのキートップと隣接する外縁側には接着層のない間隙部を生じさせることができ、この部分が非拘束領域となっている。そして、この非拘束領域を設けたことで、キートップの確実な押込み操作を行うことができる。即ち、キートップの周囲にベースシートが隣接キートップと固着しない領域が増えた分だけ、ベースシートが撓み易くなる。そのため、キートップの押込みストロークを長く取ることができ、正確なキー入力操作を行うことができる。
【００２４】
キートップと隣接キートップとの関係としては、隣接キートップをキートップよりも大型のキートップとすることができる。このような例として例えば、少なくとも押込み操作を可能とする確定キートップと、該確定キートップを囲む環状キートップとの関係が挙げられる。隣接キートップである環状キートップに間隙部が生じていても、環状キートップは大型であるため、その広い部分でベースシートと固着することが可能で、環状キートップの脱落は殆ど問題とならない。
【００２５】
隣接キートップの接着層については、隣接キートップ又はベースシートの何れかに印刷層として形成され、隣接キートップとベースシートに対し軟化又は溶融状態で接した硬化体でなる印刷接着層とすることができる。隣接キートップの接着層が、隣接キートップ又はベースシートの何れかに印刷層として形成され、隣接キートップとベースシートに対し軟化又は溶融状態で接した硬化体でなる印刷接着層としたため、隣接キートップの底面の所定部位に正確に印刷接着層を形成することができ、隣接キートップとベースシートの固着する部分、固着しない部分を高精度で制御することができる。
【００２６】
さらに本発明は、樹脂フィルムでなるベースシートと、ベースシートに配置するキートップと、ベースシートとキートップとの間でキートップの側面と実質的に面一の側面を形成してベースシートとキートップとを固着するキートップの印刷接着層と、を備えるキーシートを提供する。
【００２７】
樹脂フィルムでなるベースシートと、ベースシートに配置するキートップと、ベースシートとキートップとの間でキートップの側面と実質的に面一の側面を形成してベースシートとキートップとを固着するキートップの印刷接着層と、を備えるキーシートとしたため、キートップとベースシートとの境界に隙間がなく、キートップがベースシートにしっかりと固着したキーシートである。したがって、キートップの底面に液状の接着剤を滴下してベースシートに接着していた従来のキーシートが、キートップの底面の一部にしか接着層を備えることができず、キートップとベースシートとの境界に隙間が生じていた場合に比べて、爪先のひっかかりなどが問題にならず、キートップの脱落が生じにくいキーシートである。なお、実質的に面一とは、本キーシートにあっては、キートップの側面に対して印刷接着層の側面が±０．５ｍｍ以下の凹凸状態にあるものをいうものとする。
【００２８】
上記キーシートについては、キートップと並べてベースシートに配置するフレームシートを備えるものとして構成することができる。キートップと並べてベースシートに配置するフレームシートを備えるものとしたので、フレームシートが無い場合に比べればキートップとベースシートとの間に爪先が入り難く、また、キートップの極端な浮き上がりを防止することができるため、キートップの脱落が生じにくいキーシートである。また、デザイン的にも斬新であり、さらに、ベースシートの強度が補強されて、機器に装着された状態でキーシート全体の撓みが生じ難いキーシートとすることができる。
【００２９】
上記キーシートについて、フレームシートとベースシートとを固着する接着層を備えており、キートップの印刷接着層がキートップの底面全面に形成したものであり、フレームシートの接着層がキートップと隣接する外縁側を除くフレームシートの底面に形成したものとすることができる。キートップの印刷接着層をキートップの底面全面に、キートップの側面と実質的に面一に形成したため、キートップとベースシートとの間に隙間が生じることがなく、キートップがベースシートに強固に固着される。そのため、キートップの脱落が起こりにくいキーシートである。また、キートップの底面全面に接着層が設けられることから、接着層を有する箇所と有しない箇所のばらつきがなく、キートップへの押圧操作を、正確なスイッチ入力につなげることができる。さらに、いわゆる照光式のキートップとした場合に、キートップの底面全面に接着層が設けられることから照光ムラが無く、均一な照光が可能なキーシートである。
【００３０】
そして、フレームシートの接着層がキートップと隣接する外縁側を除くフレームシートの底面に形成したものであるため、フレームシートのキートップとの外縁側には接着層のない間隙部が生じており、この部分が非拘束領域となっている。そして、この非拘束領域を設けたことで、キートップの確実な押込み操作を行うことができる。即ち、キートップの周囲に非拘束領域があるため、キートップを支持するベースシートにおいて、間隙部の部分だけ接着層により拘束されない領域が広がりベースシートが撓み易くなる。そのため、キートップの押込みストロークを長く取ることができ、正確なキー入力操作を行うことができる。なお、フレームシートには間隙部が生じていても、フレームシートの広い部分でベースシートと固着することが可能で、フレームシートの脱落は殆ど問題とならない。
【００３１】
また、フレームシートの接着層を印刷接着層とすることができる。フレームシートの接着層を印刷接着層としたため、フレームシートの底面の所定部位に正確に形成された印刷接着層を有することができ、フレームシートとベースシートの固着する部分、固着しない部分が高精度で制御されたキーシートとすることができる。
【００３２】
さらに、本発明は、キートップと並べてベースシートに配置する隣接キートップと、隣接キートップとベースシートとを固着する接着層とを備えており、キートップの印刷接着層はキートップの底面全面に形成したものであり、隣接キートップの接着層はキートップと隣接する外縁側を除く隣接キートップの底面に形成したものとすることができる。
【００３３】
キートップの印刷接着層はキートップの底面全面に形成したものであるため、キートップとベースシートとの間に隙間が生じることがなく、キートップの脱落が起こりにくいキーシートを得ることができる。また、キートップの底面全面に接着層が設けられることから、接着層を有する箇所と有しない箇所のばらつきがなく、キートップへの押圧操作を、正確なスイッチ入力につなげることができる。さらに、いわゆる照光式のキートップとした場合に、キートップの底面全面に接着層が設けられることから照光ムラが無く、均一な照光が可能なキーシートである。
【００３４】
また、キートップと並べてベースシートに配置する隣接キートップと、隣接キートップとベースシートとを固着する接着層とを備えており、隣接キートップの接着層はキートップと隣接する外縁側を除く隣接キートップの底面に形成したため、隣接キートップのキートップとの外縁側には接着層のない間隙部を生じさせることができ、この部分が非拘束領域となっている。そして、この非拘束領域を設けたことで、キートップの確実な押込み操作を行うことができる。即ち、キートップの周囲に、ベースシートが隣接キートップと固着しない領域が増えた分だけ、ベースシートが撓み易くなる。そのため、キートップの押込みストロークを長く取ることができ、正確なキー入力操作を行うことができる。
【００３５】
キートップと隣接キートップとの関係としては、隣接キートップをキートップよりも大型のキートップとすることができる。このような例として例えば、少なくとも押込み操作を可能とする確定キートップと、該確定キートップを囲む環状キートップとの関係が挙げられる。隣接キートップである環状キートップに間隙部が生じていても、環状キートップは大型であるため、その広い部分でベースシートと固着することが可能で、環状キートップの脱落は殆ど問題とならない。
【００３６】
また、隣接キートップの接着層を印刷接着層とすることができる。隣接キートップの接着層を印刷接着層としたため、隣接キートップの底面の所定部位に正確に形成された印刷接着層を有することができ、隣接キートップとベースシートの固着する部分、固着しない部分が高精度で制御されたキーシートとすることができる。
【００３７】
以上のキーシートについては、キートップとフレームシート又は隣接キートップとが実質的に連続する面一の操作面を形成するキーシートとすることができる。キートップとフレームシート又は隣接キートップとが実質的に連続する面一の操作面を形成するものとしたため、キートップやフレームシート、隣接キートップに対して側方から押圧されにくく、これらの部分の脱落が生じにくいキーシートである。
【００３８】
上述のキーシートに関する発明の他、以下のキーシートの製造方法に関する発明を提供する。即ち、本発明は、ベースシートとベースシートに配置するキートップとを接着層により固着するキーシートの製造方法であって、キートップかベースシートの少なくとも何れか一方の対向面に印刷によりキートップの印刷接着層を形成し、軟化又は溶融状態で前記何れか他方と接触させるとともに硬化させ、キートップとベースシートを固着するキーシートの製造方法である。
【００３９】
キートップかベースシートの少なくとも何れか一方の対向面に印刷によりキートップの印刷接着層を形成したため、キートップとベースシートの大きさや材質、接着箇所などを考慮して、適宜、印刷面を決定することができる。また、印刷により形成するため、キートップとベースシートとの固着位置となる印刷箇所、塗布量を精度良く制御して印刷接着層を形成することができる。この印刷接着層は、印刷後固形状態としてから加熱、押圧により軟化又は溶融状態で接着することもできれば、印刷後インキの固化前の軟化又は溶融状態で接着することもできる。特に、印刷後接着前に固形状態にする場合は、インキのだれを抑えることができ接着位置の高度な制御が可能となる。また、キートップとベースシートとを接触させて位置合わせを行うことができ、位置合わせ作業が容易であるし、位置合わせ時や押圧時の接着層の流動を抑えることができる。さらに後工程の加熱、押圧時に、加熱、押圧箇所を選択することで接着位置を調整できるなどの利点がある。そして、軟化又は溶融状態で前記何れか他方と接触させて硬化させるため、印刷接着層の体積変化を抑えることができ、所望位置で精度良く接着することができる。
【００４０】
したがって、従来、例えばキートップの底面に接着剤を滴下して接着していた方法に比較すると、接着剤を塗布する箇所、塗布量、設けられた接着層の形状を正確に制御することができる。すなわち、接着剤を滴下して液状のままキートップとベースシートとを固着したのでは、滴下位置にばらつきが多く、滴下後の固着部分の面積も変わり易いという欠点を解消することができる。
【００４１】
さらに、ベースシートが樹脂フィルムであるため、印刷接着層を形成する場合に印刷が容易であるし、加熱、押圧して印刷接着層を固着させる場合には、加熱、押圧時の熱伝達、圧力伝達が的確に行われる。また、変形や変性が生じ難く、キーシートの製造が容易である。
【００４２】
また、本発明は、ベースシートと、ベースシートに配置するキートップと、キートップと並べてベースシートに配置するフレームシートとを備えるキーシートの製造方法であって、キートップかベースシートの少なくとも何れか一方の対向面全面に印刷によりキートップの印刷接着層を形成し、軟化又は溶融状態で前記何れか他方と接触させて硬化させ、キートップをベースシートに固着するとともに、キートップと隣接する外縁側を除くフレームシートの底面をベースシートに固着するキーシートの製造方法を提供する。
【００４３】
キートップかベースシートの少なくとも何れか一方の対向面全面に印刷によりキートップの印刷接着層を形成し、軟化又は溶融状態で前記何れか他方と接触させて硬化させ、キートップをベースシートに固着したため、キートップとベースシートとの間に隙間が生じることがなく、キートップの脱落が起こりにくいキーシートを得ることができる。そして、キートップと隣接する外縁側を除くフレームシートの底面をベースシートに固着したため、フレームシートのキートップとの外縁側には接着層のない所定の大きさ、形状の間隙部を生じさせることができる。そのため、キートップの押込み操作が可能なキーシートを得ることができる。
【００４４】
さらにまた本発明は、ベースシートと、ベースシートに配置するキートップと、キートップと並べてベースシートに配置する隣接キートップとを備えるキーシートの製造方法であって、キートップかベースシートの少なくとも何れか一方の対向面全面に印刷によりキートップの印刷接着層を形成し、軟化又は溶融状態で前記何れか他方と接触させて硬化させ、キートップをベースシートに固着するとともに、キートップと隣接する外縁側を除き隣接キートップの底面をベースシートに固着するキーシートの製造方法を提供する。
【００４５】
キートップかベースシートの少なくとも何れか一方の対向面全面に印刷によりキートップの印刷接着層を形成し、軟化又は溶融状態で前記何れか他方と接触させて硬化させ、キートップをベースシートに固着したため、キートップとベースシートとの間に隙間が生じることがなく、キートップの脱落が起こりにくいキーシートを得ることができる。そして、キートップと隣接する外縁側を除く隣接キートップの底面をベースシートに固着したため、隣接キートップのキートップとの外縁側には接着層のない所定の大きさ、形状の間隙部を生じさせることができる。そのため、キートップの押込み操作が可能なキーシートを得ることができる。
【００４６】
印刷接着層を軟化又は溶融状態とするためには、キートップの印刷接着層の全面又は一部を加熱するものとすることができる。キートップの印刷接着層の全面又は一部を加熱することとしたため、被着体に接着しない固形状態にある印刷接着層では、被着体に接着しうる状態におくことができる。また、印刷接着層を設けた後でも、実際に固着させる箇所を調整することができる。例えば、フレームシートの底面全面に接着層を印刷にて形成しておき、フレームシートの一部を加熱することで、フレームシートの加熱しない部分をベースシートとフレームシートとが固着しない非拘束領域とすることができる。これにより、例えばベースシートの材質、厚さ等に応じて、ベースシートが撓み難い材質であるとすれば、非拘束領域を広くするなどの調整が可能となる。
【００４７】
また、印刷接着層の有無にかかわらず、キートップやフレームシートなどとベースシートとの接着箇所を制御するため、予め、これらが接着しない非拘束領域とする箇所にマスキング層を設けておくことも可能である。マスキング層を設けることで、キートップやフレームシートなどとベースシートとの接着箇所を正確に制御することができる。
【００４８】
印刷接着層を形成する印刷工程で溶剤希釈型インキを用いることができる。溶剤希釈型インキを用いたため、加熱により溶融または軟化するような樹脂を溶剤希釈型インキとして印刷塗工することができる。そのため、接着層を適正位置に適正量設けることが可能である。また、溶剤希釈型インキで溶剤が蒸発すれば固形状態で印刷層が形成される。そのため、液状の接着剤を用いる場合に比べて、接着層の広がり程度を制御することが容易である。そのため、所望位置に印刷接着層を設けることができる。
【発明の効果】
【００４９】
本発明のキーシートによれば、樹脂フィルムでなるベースシート上にキートップとフレームシートとを有するキーシートとすることができる。そして、ベースシートの歪みの発生や、キートップの脱落などの不具合が生じにくいことに加えて、キートップの押込み操作を的確に行うことができ、携帯電話機のような機器の筐体に仕切桟のない操作開口から、キートップのみならずフレームシートをも露出させるデザインを具現化する薄型のキーシートとすることができる。
【００５０】
また、本発明のキーシートの製造方法によれば、樹脂フィルムでなるキーシート上の所望位置で、キートップやフレームシート、隣接キートップをベースシートに接着することができ、キートップなどとの接着強度が高く、その脱落が生じにくいキーシートを得ることができる。また、キートップの押込み操作を的確に行うことができるキーシートを得ることができる。
【発明を実施するための最良の形態】
【００５１】
以下、本発明について、その実施形態に基づき図面を参照しつつ説明する。キーシート３１は、図１で示す携帯電話機３に、その大きな操作開口３ａから露出するように用いられ、図２で示す平面形状をなすものである。即ち、樹脂フィルムでなるベースシート３２上に複数のキートップ３３、すなわち、５行３列に配置された中型キートップ３４、中央上方に設けられた丸型の確定キートップ３５、確定キートップ３５を囲む環状キートップ３６、環状キートップ３６の端に設けられた４個の縦長キートップ３７を有し、さらに、これらのキートップ３３（３４，３５，３６，３７）を仕切るフレームシート３８を備えるものであって、図３や図４でその断面を示すように、キートップ３３やフレームシート３８が、印刷接着層３９を介して、ベースシート３２に固着されたものである。
【００５２】
図３で示すように、中型キートップ３４とベースシート３２との間に存在する中型キートップ３４の印刷接着層３９ａでは、中型キートップ３４の底面３４ａ全面に設けられ、中型キートップ３４の側面３４ｂに沿って面一に形成されている。一方、フレームシート３８とベースシート３２との間に設けられたフレームシート３８の印刷接着層３９ｂは、フレームシート３８の中型キートップ３４と隣接する外縁３８ａ側までは設けられていない。そのため、フレームシート３８の中型キートップ３４と隣接する外縁３８ａには、印刷接着層３９がなく、フレームシート３８とベースシート３２とが固着しない間隙部４０が生じている。そして、この間隙部４０においてベースシート３２がフレームシート３８に拘束されない非拘束領域となっている。縦長キートップ３７とベースシート３２との接着も中型キートップ３４とベースシート３２との接着と同様に、縦長キートップ３７の底面全面に縦長キートップ３７の印刷接着層３９ｃが設けられベースシート３２と固着されている。
【００５３】
また、図４で示すように、確定キートップ３５とベースシート３２との間でも、確定キートップ３５の印刷接着層３９ｄが、確定キートップ３５の底面３５ａ全面に設けられ、確定キートップ３５の側面３５ｂと実質的に面一の側面を形成している。一方、確定キートップ３５に対する隣接キートップとなる環状キートップ３６については、環状キートップ３６とベースシート３２との間にも環状キートップ３６の印刷接着層３９ｅが設けられているが、確定キートップ３６に隣接する環状キートップ３６の外縁３６ａの部分までは印刷接着層３９ｅが設けられていない。そのため、環状キートップ３６に隣接する確定キートップ３６の外縁３６ａ側には、印刷接着層３９ｅがなく、環状キートップ３６とベースシート３２が固着しない間隙部４０が生じた非拘束領域となっている。
【００５４】
中型キートップ３４、確定キートップ３５、環状キートップ３６、縦長キートップ３７の各キートップ３３の何れにも、熱硬化性樹脂、熱可塑性樹脂などの硬質樹脂が用いられるが、ポリカーボネート樹脂、ＡＢＳ樹脂、アクリル樹脂、ポリエステル樹脂、ＰＢＴ樹脂やこれらのアロイ系樹脂を用いることが好ましい。また、キートップ３３には、文字や記号、図形などを表す表示部４１が形成されていても良い。キートップ３３の厚さは、薄型化の要請から０．２ｍｍ〜０．６ｍｍ程度が好ましく、一実施態様として０．４ｍｍ程度に形成することができる。
【００５５】
フレームシート３８は、ベースシート３２とともにキーシート３１の形状を保持し、キートップ３３の極端な浮き上がりを防止し、キートップ３３の成形痕を隠し、キートップ３３とベースシート３２との接着部分を保護するなどの理由から設けられるものである。フレームシート３８には、例えばポリエチレンテレフタレートフィルム、ポリブチレンテレフタレートフィルム、ポリウレタンフィルム、ポリアミドフィルム、ポリプロピレンフィルム、ポリスチレンフィルム、フッ素フィルム、アイオノマーフィルム、ポリカーボネートフィルム、ポリ塩化ビニルフィルムなどの樹脂フィルムを用いることができ、装飾的な観点から着色層を設けたり蒸着層を設けたりすることができる。また、携帯電話機２の内部に設けたＬＥＤなどの光源から光を発して文字や記号などの表示部４１を照光させるいわゆる照光式のキーシート３１とする場合には、フレームシート３８から光漏れを起こさぬように、遮光性の樹脂フィルムを用いたり、遮光層を設けたりすることができる。フレームシート３８の厚さは、キートップ３３の高さとの調和の観点から０．２ｍｍ〜０．５ｍｍ程度が好ましく、一実施態様として０．３〜０．３５ｍｍ程度に形成することができる。
【００５６】
ベースシート３２は、フレームシート３８とともにキーシート３１の形状を保持し、キートップ３３を載置する基部となり、さらに、キートップ３３が押圧される場合には、わずかに歪んで基板（図示せず）に設けられた接点を押圧するものである。ベースシート３２には、例えばポリエチレンテレフタレートフィルム、ポリブチレンテレフタレートフィルム、ポリウレタンフィルム、ポリアミドフィルム、ポリプロピレンフィルム、ポリスチレンフィルム、フッ素フィルム、アイオノマーフィルム、ポリカーボネートフィルム、ポリ塩化ビニルフィルムなどの樹脂フィルムを用いることができる。照光式のキーシート３１とする場合には、光透過性の樹脂フィルムを用いることができる。さらに、着色層や導光層を設けることができる。ベースシート３２の厚さは、薄型化の要請から、１５０μｍ以下が好ましく、５０μｍ以下がより好ましい。一実施態様として５０μｍ程度に形成することができる。ベースシート３２のキートップ３３を有する面と反対側面は、対向するプリント基板（図示せず）の形態に応じて、接点電極を押圧する部分に押し子のような膨らみを設けた構造とすることもできる。ベースシート３２とフレームシート３８とを比較すると、ともに樹脂フィルムで形成することができ、素材も同じとすることができるが、ベースシート３２の厚さはフレームシート３８よりも薄くすることが好ましい。
【００５７】
印刷接着層３９は、キートップ３３やフレームシート３８と、ベースシート３２とを接着する接着剤層であり、印刷により形成されるものである。印刷接着層３９用のインキには、加熱により、軟化又は溶融する原料を用いることが好ましく、例えば、加熱により軟化又は溶融するアクリル系、塩ビ系、ポリエステル系、ウレタン系などの樹脂、ワックス、ゴムなどを用いることができる。インキとしての形態は、塗工時には印刷できるだけの流動性を有し、その後、固形状態を保つ性質を有するものであり、溶剤に溶解または分散させた溶剤希釈型インキや、常温で固化状態の固形物を熱溶融させて液状としたタイプのインキを用いることができるが、キートップ３３などの所定の底面に精度良く繊細に印刷するという印刷適正の観点や、直ぐに溶剤が蒸発し印刷直後に固形状態になり印刷された形状が保持されるという観点から溶剤希釈型インキを用いることが好ましい。中でも、加熱、押圧による接着工程での印刷接着層３９のだれ、変形を抑制する観点からは、加熱により溶融するタイプよりは軟化するタイプの材質を用いることが好ましい。
【００５８】
このキーシート３１を製造するには次のように行う。まず、型成形によってキートップ３３、ベースシート３２、フレームシート３８をそれぞれの材料から形成する。次に、必要に応じて着色層や蒸着層（図示せず）、表示部４１を形成する。そして、印刷接着層３９をスクリーン印刷、パッド印刷、凸版印刷、グラビア印刷などによりキートップ３３やフレームシート３８上に形成する。その後、ベースシート３２と、キートップ３３、フレームシート３８を位置合わせして、熱圧着機などでベースシート３２側から所定の領域を加熱、押圧し、ベースシート３２とキートップ３３、フレームシート３８とを接着する。
【００５９】
印刷接着層３９の印刷から固着に至る過程において、キートップ３３の所望位置でベースシート３２と固着させるには次のような種々の方法をとることができる。例えば、キートップ３３の底面３３ａの一部をベースシート３２と固着させるには、図５に示したように、キートップ３３の底面３３ａ全面に印刷接着層３９を形成し、その後、所定の領域Ａ１だけ加熱押圧具４３にて加熱、押圧して、その領域だけキートップ３３とベースシート３２とを固着する方法や、図６に示したように、キートップ３３の底面３３ａの予め接着させる領域Ａ１だけに印刷接着層３９を形成する方法、図７に示したように、キートップ３３の底面３３ａ全面に印刷接着層３９を施した後、ベースシート３２と固着させない領域Ｂ１にマスキング層４２を印刷により形成し、キートップ３３の底面３３ａ全面、またはマスキング層４２を設けていない領域Ａ１のみを加熱、押圧して、領域Ａ１の部分だけキートップ３３とベースシート３２とを固着する方法などがある。なお、マスキング層４２も印刷により形成することが好ましく、ベースシート３２に接着しにくい材質や軟化温度の高い材質から得られたインキを用いることが好ましい。
【００６０】
また、これらの例ではキートップ３３の底面３３ａにのみ印刷接着層３９を形成したが、ベースシート３２側に印刷接着層３９を設ける方法を採ることもできる。図８〜図１０の各図に示したのは、図５〜図７の各々の場合に加えて、さらにベースシート３２に印刷接着層３９を設けたものである。ベースシート３２の種類によってはキートップ３３に印刷接着層３９を設けただけでは固着しにくい場合もあり、予め、ベースシート３２に印刷接着層３９を設けておくことで、キートップ３３とベースシート３２との接着力を高めることができる。さらに別の方法として、図１１に示した例のように、ベースシート３２の全面に印刷接着層３９を設けるのではなく、ベースシート３２の所定部位にのみ印刷接着層３９を設けることもできる。また、図１２で示すようにマスキング層４２を設けても良い。また図示しないが、キートップ３３側に印刷接着層３９を設けずに、ベースシート３２側に印刷接着層を設けることもできる。
【００６１】
一方、キートップ３３の底面３３ａ全面をベースシート３２と固着させるには、キートップ３３の底面３３ａ全面に印刷接着層３９を設け、その全面を加熱、押圧することにより行うことができるし、ベースシート３２の所定面に印刷接着層３９を設けておき、キートップ３３と対応する部分やベースシート３２の全面を加熱、押圧することにより行うこともできる。
【００６２】
加熱、押圧する条件については、印刷接着層３９として用いる材料、印刷接着層３９の層厚、ベースシート３２の膜厚などにより変化するが、押圧部の表面温度が１２０℃〜２２０℃、より好ましくは１４０℃〜１７０℃であり、押圧時間が１秒〜２０秒、より好ましくは５秒〜１０秒、圧力が３０ｋｇ〜５００ｋｇ／２０〜２５ｃｍ２、より好ましくは５０ｋｇ〜３００ｋｇ／２０〜２５ｃｍ２である。
【００６３】
以上、キートップ３３とベースシート３２との固着方法について説明したが、フレームシート３８とベースシート３２の固着も同様に行うことができる。また、加熱、押圧については、ベースシート３２側から加熱することとしているが、キートップ３３側から加熱することも可能である。
【００６４】
次に、こうして得られたキーシート３１の作用、効果について説明する。
【００６５】
図３で示すように、中型キートップ３４は、その底面３４ａの全面が印刷接着層３９を介してベースシート３２に固着されており、中型キートップ３４とベースシート３２との間に隙間が生じていない。そのため、爪の先が中型キートップ３４の角にひっかかるようなことがなく、中型キートップ３４がキーシート３１から剥がれ落ちることがない。一方、これらの中型キートップ３４に隣接するフレームシート３８の外縁３８ａでは、フレームシート３８とベースシート３２が固着されずに間隙部４０を生じている。そのため、図１３（Ａ）で示すように、間隙部４０を有するキーシート３１は、押込み操作時の下方へのストロークを長くとることができ、必要な押込操作が可能である。そのため、正確なスイッチ入力を行うことができる。一方、比較のため設けた図１３（Ｂ）に示す間隙部を有しないキーシートでは、下方への押込みストロークを長くとることができない。なお、フレームシート３８の間隙部４０に爪などが入っても、フレームシート３８はベースシート３２と広い面積で固着されているため、剥がれ落ちることはない。
【００６６】
また、図４で示すように、中型キートップ３４と同様に、確定キートップ３５は、その底面３５ａの全面が印刷接着層３９を介してベースシート３２に固着されており、確定キートップ３５とベースシート３２との間に隙間が生じていない。一方、この確定キートップ３５に隣接する環状キートップ３６の外縁３６ａでは、環状キートップ３６とベースシート３２が固着されずに間隙部４０を生じている。そのため、確定キートップ３５は、必要な押込操作が可能であり、正確なスイッチ入力を行うことができる。
【００６７】
特に、ベースシート３２とフレームシート３８の厚みを比較して、ベースシート３２がフレームシート３８よりも薄いフィルムで形成されている場合は、ベースシート３２がキートップ３３の押込み操作によって撓み易く、軽い入力荷重で入力操作可能とする機能を担い、厚いフレームシート３８は、ベースシート３２を補強してキーシート３１全体の成形性保持する機能を担わせることができる。また、キートップ３３が薄く、ベースシート３２も薄い樹脂フィルムで形成されているため、キーシート３１全体の膜厚を０．５ｍｍ〜１ｍｍ程度と大変薄くすることができる。また、ゴム状弾性体を用いずに樹脂フィルムを用いているため、所定の剛性があり、携帯電話機３のように操作開口３ａが大きく設けられていてもキーシート３１が撓みにくい。そのため、キーシートが撓むとしたら生じる問題、例えば、キートップと接点スイッチとの位置ずれによる操作不良、キートップごとに押圧ストローク量が相違することによる操作性の悪化、機器のデザイン性への悪影響、キートップどうしの潜り込みなどが殆ど生じることがない。
【００６８】
本実施形態では、キートップ３３とベースシート３２の接着も、フレームシート３８とベースシート３２の接着も、ともに加熱により軟化または溶融する材料でなる溶剤希釈型インキを印刷して設けた印刷接着層としたが、環状キートップ３６とベースシート３２の間に形成する接着層、またはフレームシート３８とベースシート３２の間に形成する接着層などを印刷以外の塗布方法により設けても良く、ＵＶ硬化型接着剤や、瞬間接着剤の塗布などにより形成した単なる接着層とすることもできる。
【００６９】
上記実施形態の変更例として、キートップの形や大きさ、数、配置の仕方などは、要求されるデザインや機器の種類に応じて変更することができる。
【００７０】
また、本実施形態では携帯電話機３に用いられるキーシート３１としたが、携帯電話機３以外の機器、例えば、ＰＤＡ、カーナビゲーション装置、カーオーディオ装置の操作部に用いるキーシートとすることもできる。
【実施例】
【００７１】
次に以下の実施例に基づき本発明をさらに詳細に説明する。縦×横＝５ｍｍ×１０ｍｍの中型キートップ(34)を有し、中型キートップ(34)間のフレームの間隔が２ｍｍである縦×横＝７０ｍｍ×４５ｍｍの図２に示した形態のキーシート(31)を種々の材料を用いて製造した。
【００７２】
実施例１（試料１〜４）：  まず、ポリカーボネート樹脂にて中型キートップ(34)、確定キートップ(35)、環状キートップ(36)、縦長キートップ(37)をそれぞれ形成し、厚さ０．３ｍｍのＰＥＴフィルムにてフレームシート(38)を形成し、そして、以下の表１で示した材料にてベースシート(32)を形成した。次に、表１で示した印刷接着層(39)用のインキを用い、各キートップ(33)の底面(33a)にスクリーン印刷にて印刷接着層(39)を形成した。ここで、中型キートップ(34)、確定キートップ(35)は、その底面(35a)全面に印刷接着層(39)を形成した。また、環状キートップ(36)は、確定キートップ(35)に隣接する側の外縁(36a)で、環状キートップ(36)の外周から０．５ｍｍまでの部分を除く底面(36a)全面に印刷接着層(39)を形成した。さらに、フレームシート(38)は、中型キートップ(34)に隣接する側の外縁(38a)で、フレームシート(38)の外周から０．５ｍｍまでの部分を除く底面(36b)全面に印刷接着層(39)を形成した。印刷接着層(39)を設けていない部分を図１４において斜線で示した。その後、各種キートップ(33)とフレームシート(38)、及びベースシート(32)を位置あわせした後、ベースシート(32)側からベースシート(32)の底面全面に加熱押圧具(43)として熱圧着機（「ＵＰ−ＤＯＷＮプレス」商品名；ＮＡＶＩＴＡＳ社製）を用いて加熱、押圧した。加熱条件は、機械設定温度を１８０℃〜２２０℃とし、ベースシート(32)に直接触れるゴム押板の表面温度を１４０℃〜１７０℃とした。加圧力は１シート当たり１００ｋｇ〜２００ｋｇ、加圧時間は５秒〜１０秒とした。そして、印刷接着層(39)が設けられた部分のみが固着した試料１〜試料４で示すキーシート(31)を得た。
【００７３】
【表１】
2007066818.tif 000003
【００７４】
表１において、ベースシートＡは、厚さ１２μｍの東レ社製「Ｓ１０」（商品名）に対し、ポリエステル樹脂（東洋紡績社製「バイロン３００」（商品名））を３μｍ塗布したものであり、ベースシートＢは、ダイセル化学工業社製の「ダイアミド４１００」（商品名）、ベースシートＣは、シーダム社製の「ＤＵＳ２０２」（商品名）である。また、ベースシートＤは、厚さ２０μｍの２軸延伸ポリプロピレン、東セロ社製「Ｖ−ＯＰ」（商品名）であり、その表面にはｋコート表面処理（塩化ビニリデンコート処理）がなされたものである。なお、表中のベースシートＡとベースシートＤに付された※印は、これらのシートが上述のように表面処理されていることを示している。そして、各シートの物性は、ベースシートＡは、ＪＩＳ−Ｋ７１２７に基づく引伸強さが２２００ｋｇ／ｃｍ２、伸びが１５０％、引張弾性率４３０ｋｇ／ｍｍ２、ベースシートＢは、ＡＳＴＭＤ８８２−６４Ｔに基づく引伸強さが４５０ｋｇ／ｃｍ２、伸びが３５０％、引張弾性率２０ｋｇ／ｍｍ２、ベースシートＣは、ＪＩＳ−Ｋ７３１１に基づく引伸強さが４５０ｋｇ／ｃｍ２、伸びが５５０％、引張弾性率８０ｋｇ／ｍｍ２、ベースシートＤは、ＪＩＳ−Ｋ７１２７に基づく引伸強さが１９００ｋｇ／ｃｍ２、伸びが１００％、引張弾性率２００ｋｇ／ｍｍ２であった。
【００７５】
また、表１において、接着層Ａは、セイコーアドバンス社製「ＣＡＶ透明」（商品名）、接着層Ｂは、セイコーアドバンス社製「ＪＴ９４」（商品名）、接着層Ｃは、セイコーアドバンス社製「ＳＧ７４０」（商品名）で主剤１００に対し硬化剤５を混合したもの、接着層Ｄは、セイコーアドバンス社製「ＪＴ２０」（商品名）をそれぞれ印刷インキとして用いた。また、厚さは印刷後の固形分、即ち、印刷接着層(39)の厚さを示すものである。
【００７６】
実施例２（試料５〜８）：  実施例１においては、環状キートップ(36)とフレームシート(38)の底面(38b)の一部に印刷接着層(39)を設けたが、これに代えて、環状キートップ(36)とフレームシート(38)の底面(38b)全面に印刷接着層(39)を印刷した。その後、実施例１において、印刷接着層(39)用インキを塗布しなかった部分、即ち、環状キートップ(36)とフレームシート(38)のそれぞれの所定の外周から０．５ｍｍまでの部分に、表２で示すマスキング層(42)用インキを印刷してマスキング層(42)を形成した。それ以外の条件は実施例１と同様にして試料５〜試料８で示すキーシート(31)を得た。
【００７７】
【表２】
2007066818.tif 000004
【００７８】
表２において、ベースシートＡ〜ベースシートＤ、接着層Ａ〜接着層Ｄは、表１と同じものである。また、マスキング層Ａは、十条化工社製「ＰＰ４９００」（商品名）、マスキング層Ｂは、セイコーアドバンス社製「ＨＡＣ」（商品名）、マスキング層Ｃは、十条化工社製「ＳＰ７００」（商品名）、マスキング層Ｄは、十条化工社製「ＰＰ４９００」（商品名）である。
【００７９】
実施例３（試料９〜１６）：  実施例１、実施例２においては、ベースシート(32)側からベースシート(32)の底面全面を熱圧着機によって加熱、押圧したが、これに代えて、実施例１における印刷接着層(39)を設けた部分に対応する部分のみを加熱、押圧した。こうして、実施例１、実施例２における試料１〜試料８と同様の原材料、構成である試料９〜試料１９で示すキーシート(31)を製造した。
【００８０】
【表３】
2007066818.tif 000005
【００８１】
【表４】
2007066818.tif 000006
【００８２】
表３、表４において、ベースシートＡ〜ベースシートＤ、接着層Ａ〜接着層Ｄ、マスキング層Ａ〜マスキング層Ｄは、表１または表２で示したものと同じものである。
【００８３】
実施例４（試料１７〜２０）：  実施例１において、環状キートップ(36)とフレームシート(38)をベースシート(32)と固着するにも表１に記載の印刷接着層(39)を用いたが、これに代えて、環状キートップ(36)とフレームシート(38)のベースシート(32)への接着については、ＵＶ硬化型接着剤を用いた。即ち、環状キートップ(36)とフレームシート(38)を除き、実施例１と同様にしてそれ以外のキートップ(33)をベースシート(32)に固着した後、環状キートップ(36)とフレームシート(38)の適当箇所にＵＶ硬化型接着剤を滴下して、これらの部材を、環状キートップ(36)以外のキートップ(33)が固着したベースシート(32)に接着し、ＵＶ硬化型接着剤を硬化させた。それ以外は、実施例１と同様にして、試料１７〜試料２０としたキーシート(31)を得た。
【００８４】
試料１〜試料２０とした何れのキーシート(31)も、適度な剛性があり、携帯電話機３に搭載して不具合なくスイッチ入力を行うことができた。
【図面の簡単な説明】
【００８５】
【図１】図２で示す第１実施形態におけるキーシートを搭載した携帯電話機の外観図。
【図２】一実施形態におけるキーシートの平面図。
【図３】図２のＳＡ−ＳＡ線断面図。
【図４】図２のＳＢ−ＳＢ線断面図。
【図５】キーシートの製造過程を示す説明図。
【図６】キーシートの製造過程を示す説明図。
【図７】キーシートの製造過程を示す説明図。
【図８】キーシートの製造過程を示す説明図。
【図９】キーシートの製造過程を示す説明図。
【図１０】キーシートの製造過程を示す説明図。
【図１１】キーシートの製造過程を示す説明図。
【図１２】キーシートの製造過程を示す説明図。
【図１３】間隙部の有無によるベースシートの撓み状態の相違を示すキーシートの断面模式図であり、図１３（Ａ）は間隙部を有するキーシート、図１３（Ｂ）は間隙部を有しないキーシート。
【図１４】接着層の有無を示すキーシートの平面図。
【図１５】図１６で示す従来のキーシートを搭載した携帯電話機の外観図。
【図１６】従来のキーシートの平面図。
【図１７】図１８で示す従来の別のキーシートを搭載した携帯電話機の外観図。
【図１８】従来の別のキーシートの平面図。
【図１９】図１８で示すキーシートのＳＣ−ＳＣ線断面図。
【符号の説明】
【００８６】
１，２，３    携帯電話機（機器）
１ａ，２ａ，３ａ    操作開口
１ｂ    仕切桟
１１，２１    キーシート（従来例）
１２，２２    ベースシート
２２ａ    ゴム状弾性体
２２ｂ    補強材
１３，２３    キートップ
３１    キーシート（実施形態）
３２    ベースシート
３３    キートップ
３３ａ  底面
３４    中型キートップ
３４ａ    底面
３４ｂ    側面
３５    確定キートップ
３５ａ    底面
３５ｂ    側面
３６    環状キートップ
３６ａ    外縁  
３６ｂ    底面
３７    縦長キートップ
３８    フレームシート
３８ａ    外縁
３８ｂ    底面
３９    印刷接着層
３９ａ    中型キートップの印刷接着層
３９ｂ    フレームシートの印刷接着層
３９ｃ    縦長キートップの印刷接着層
３９ｄ    確定キートップの印刷接着層
３９ｅ    環状キートップの印刷接着層
４０    間隙部（非拘束領域）
４１    表示部
４２    マスキング層
４３    加熱押圧具（熱圧着機）
【図１】
2007066818.tif 000007
【図２】
2007066818.tif 000008
【図３】
2007066818.tif 000009
【図４】
2007066818.tif 000010
【図５】
2007066818.tif 000011
【図６】
2007066818.tif 000012
【図７】
2007066818.tif 000013
【図８】
2007066818.tif 000014
【図９】
2007066818.tif 000015
【図１０】
2007066818.tif 000016
【図１１】
2007066818.tif 000017
【図１２】
2007066818.tif 000018
【図１３】
2007066818.tif 000019
【図１４】
2007066818.tif 000020
【図１５】
2007066818.tif 000021
【図１６】
2007066818.tif 000022
【図１７】
2007066818.tif 000023
【図１８】
2007066818.tif 000024
【図１９】
2007066818.tif 000025